(57)【要約】【課題】使用済みの写真フィルムカートリッジの再使用を可能にする。【解決手段】写真フィルム元巻を収容した包装体に取り付けた品種ラベルに付された識別コードを読み取る読取手段、包装体内に収容された元巻を取り出して収容する元巻収容箱取り付けたデータ記憶手段に品種情報と長尺フィルム生産情報と生産計画情報とを入力する書込手段から成る元巻供給部と、元巻供給部から供給された元巻収容箱のデータ記録手段に入力された情報を読み取る読取手段、元巻収容箱から送り出した写真フィルムを断裁する定尺断裁手段、カートリッジに写真フィルムを装填する装填手段から成る暗室状態の内装部と、カートリッジの外周面に写真フィルムの意匠情報を印刷したラベルを取り付けるラベル処理部と、から成る写真フィルム内装装置、及びカートリッジの再使用システム。【選択図】        図１
2004264356.tif 000002
【特許請求の範囲】
【請求項１】
写真フィルムの側縁部にフィルムの品種情報を潜像として形成した長尺フィルムを供給し、前記長尺フィルムを所定長さに定尺断裁した後に、スプールに巻き取り、写真フィルムカートリッジに装填する写真フィルム内装装置において、
前記長尺フィルムをロール状にした元巻を光密状態に収容した包装体に、前記長尺フィルムの品種情報及び長尺フィルムの生産情報が識別コードで記録されたラベルを取り付けたことを特徴とする写真フィルム内装装置。
【請求項２】
長尺の写真フィルムをロール状に形成した元巻を光密状態に収容した包装体、前記包装体の外装に取り付けた品種ラベル、前記品種ラベルに付された識別コードを読み取る読取手段、前記包装体内に収容された前記元巻を取り出して光密状態に収容する元巻収容箱、前記元巻収容箱に取り付けたデータ記憶手段、前記データ記憶手段に品種情報、長尺フィルムの生産情報及び生産計画情報を入力する書込手段から成る元巻供給部と、
前記元巻供給部から供給された前記元巻収容箱の前記データ記録手段に入力された情報を読み取る読取手段、前記元巻収容箱から送り出した前記写真フィルムを所定長さに定尺して断裁する定尺断裁手段、写真フィルムカートリッジに前記写真フィルムを装填する装填手段から成る暗室状態の内装部と、
前記写真フィルムカートリッジの外周面に前記写真フィルムの意匠情報を印刷した意匠ラベルを取り付けたラベル処理部と、
から構成したことを特徴とする写真フィルム内装装置。
【請求項３】
長尺の写真フィルムをロール状に形成した元巻を光密状態に収容した包装体に取り付けた品種ラベルの識別コードを読取手段により読み取る読取工程、
前記包装体内に収容された前記元巻を光密状態の元巻収容箱内に収容する元巻供給工程、
前記元巻収容箱の外装に取り付けたデータ記憶手段に書込手段により前記品種ラベルの識別コードに対応する品種情報、長尺フィルムの生産情報及び生産計画情報を入力し、前記データ記憶手段に入力された情報を読み取る入力工程、
前記元巻収容箱から送り出した前記写真フィルムを定尺断裁手段により所定長さに定尺して断裁する定尺断裁工程、
定尺断裁された前記写真フィルムを使用済みの写真フィルムカートリッジに装填する装填工程、
前記使用済みの写真フィルムカートリッジの外周面に、前記写真フィルムの意匠情報を印刷した意匠ラベルを取り付けるラベル処理工程、
から成ることを特徴とする写真フィルムカートリッジの再使用システム。
【請求項４】
前記元巻収容箱の外装に取り付けたデータ記憶手段に前記元巻の品種情報及び生産計画情報を書き換え入力し、前記読取手段により読み取る事により、異なる品種情報及び生産計画情報に対応して、前記写真フィルムを使用済みの写真フィルムカートリッジに装填し、前記写真フィルムカートリッジの外周面に前記写真フィルムの意匠情報を印刷したラベルを取り付けたことを特徴とする請求項２又は３に記載の写真フィルムカートリッジの再使用システム。
【請求項５】
前記写真フィルムカートリッジの外周面に、前記写真フィルムの意匠情報を印刷した意匠ラベルを取り付けることを特徴とする請求項３に記載の写真フィルムカートリッジの再使用システム。
【請求項６】
前記写真フィルムカートリッジに内装された前記写真フィルムの舌端に品種情報及びフィルムの生産情報を形成したことを特徴とする請求項３に記載の写真フィルムカートリッジの再使用システム。
【請求項７】
前記写真フィルムの舌端の表面に、レーザーマーキング、インクジェット記録、感熱転写等により直接、品種情報及びフィルム生産情報の少なくとも一つを形成したことを特徴とする請求項６に記載の写真フィルムカートリッジの再使用システム。
【請求項８】
前記写真フィルムの舌端に、品種情報及びフィルム生産情報の少なくとも一つを表示する複数の小径穴を穿設したことを特徴とする請求項６に記載の写真フィルムカートリッジの再使用システム。
【請求項９】
前記写真フィルムの舌端に、品種情報及びフィルム生産情報の少なくとも一つを表示するラベルを取り付けたことを特徴とする請求項６に記載の写真フィルムカートリッジの再使用システム。
【請求項１０】
前記写真フィルムカートリッジのスプールの長ハブ部の外周面に、品種情報及びフィルム生産情報の少なくとも一つを表示するラベルを取り付けたことを特徴とする請求項６に記載の写真フィルムカートリッジの再使用システム。
【請求項１１】
前記写真フィルムカートリッジが、３５ｍｍフィルムを収容するパトローネであることを特徴とする請求項３〜１０の何れか１項に記載の写真フィルムカートリッジの再使用システム。
【発明の詳細な説明】
【０００１】
【発明の属する技術分野】
本発明は、使用済みの写真フィルムカートリッジを回収して再使用し、新規の写真フィルムを装填する写真フィルムカートリッジの再使用システムに関し、特に、再使用する写真フィルムカートリッジと、内装する写真フィルムとの整合を確実にする写真フィルムカートリッジの再使用システムに関するものである。
【０００２】
【従来の技術】
市販されて使用済みになった写真フィルムカートリッジは、従来は廃棄処分されていた。近年、回収された使用済みの写真フィルムカートリッジの廃棄処分時の環境破壊が問題となり、資源の再利用、再使用が重要課題となっている。
【０００３】
写真フィルムの再使用生産や、多品種少量生産において、写真フィルムの側縁部にフィルムの品種情報を潜像情報として形成した長尺元巻を使用し、この長尺元巻からフィルムを引き出し、所定長さに定尺断裁した後に、スプールに巻き取り、写真フィルムカートリッジに装填する写真フィルム内装装置が使用されている。
【０００４】
しかし、写真フィルムに形成された潜像情報は、現像処理をしなければ見ることができないので、元巻の品種を目視確認する事ができず、中身違いを発生する可能性が高い。潜像情報は、フィルムの品種（感度、サイズ、ブランド等）によって異なるため、中身違いはフィルム使用上の大問題である。
【０００５】
また、使用済みのパトローネ等の写真フィルムカートリッジを回収して再使用する場合、内装工程において中身の写真フィルムと使用済みの写真フィルムカートリッジとが異なる場合があり、内装工程中で、写真フィルムカートリッジが迷子になってしまうと、中身の写真フィルムを確認する手段がないために、この写真フィルムカートリッジを廃棄せざるを得ない。
【０００６】
特許文献１に開示された技術は、ＡＰＳカートリッジケースのラベルに付されたカートリッジＩＤ番号を読み込んで、写真フィルムストリップにサイドプリントされるフィルムＩＤ番号を照合し、写真フィルムを巻き取る写真フィルムカートリッジの製造方法及びサイドプリント装置に関するものである。
【０００７】
特許文献２に開示された技術は、レンズ付きフィルムのカートリッジに、生産情報を格納したＩＣメモリを付して、クレーム処理時に遡及調査可能にしたレンズ付きフィルムユニットの生産情報管理方法に関するものである。
【０００８】
特許文献３〜５に開示された技術は、フィルムの画像領域以外の部分に、フィルムを特定するＩＤ情報を記録し、ＩＤ情報を光学的に可読にした現像所用の写真処理システムに関するものである。
【０００９】
【特許文献１】
特開平１０−１１５８９４号公報
【００１０】
【特許文献２】
特開２０００−３４７３５３号公報
【００１１】
【特許文献３】
特開平１０−２０４０８号公報
【００１２】
【特許文献４】
特開平１０−２３９８２５号公報
【００１３】
【特許文献５】
特開平１１−３８５２０号公報
【００１４】
【発明が解決しようとする課題】
上述の特許文献１〜５に開示された各技術は、カートリッジ表面に付されたカートリッジＩＤ番号を元に、写真フィルム入りのカートリッジを生産するものである。
【００１５】
本発明は、写真フィルムに焼き付け処理された潜像情報を基に、カートリッジ表面に取り付けたラベルに新たに潜像情報と一致したＩＤ番号等の意匠を生成する事により、回収された使用済みの写真フィルムカートリッジの中身違いのない再使用を可能にするものである。
【００１６】
また、フィルム内装工程後に、カートリッジが生産単位群から分かれて、迷子になっても、フィルム上のＩＤ情報を付与する事によってフィルム品種を特定して、中身違いの発生を未然に防止可能にする事を目的とする。
【００１７】
【課題を解決するための手段】
上記の目的は、以下の本発明により達成される。
【００１８】
（１）  写真フィルムの側縁部にフィルムの品種情報を潜像として形成した長尺フィルムを供給し、前記長尺フィルムを所定長さに定尺断裁した後に、スプールに巻き取り、写真フィルムカートリッジに装填する写真フィルム内装装置において、前記長尺フィルムをロール状にした元巻を光密状態に収容した包装体に、前記長尺フィルムの品種情報及び長尺フィルムの生産情報が識別コードで記録されたラベルを取り付けたことを特徴とする写真フィルム内装装置。
【００１９】
（２）  長尺の写真フィルムをロール状に形成した元巻を光密状態に収容した包装体、前記包装体の外装に、取り付けた品種ラベル、前記品種ラベルに付された識別コードを読み取る読取手段、前記包装体内に収容された前記元巻を取り出して光密状態に収容する元巻収容箱、前記元巻収容箱に取り付けたデータ記憶手段、前記データ記憶手段に品種情報、長尺フィルムの生産情報及び生産計画情報を入力する書込手段、から成る元巻供給部と、前記元巻供給部から供給された前記元巻収容箱の前記データ記録手段に入力された情報を読み取る読取手段、前記元巻収容箱から送り出した前記写真フィルムを所定長さに定尺して断裁する定尺断裁手段、写真フィルムカートリッジに前記写真フィルムを装填する装填手段から成る暗室状態の内装部と、前記写真フィルムカートリッジの外周面に前記写真フィルムの意匠情報を印刷した意匠ラベルを取り付けたラベル処理部と、から構成したことを特徴とする写真フィルム内装装置。
【００２０】
（３）  長尺の写真フィルムをロール状に形成した元巻を光密状態に収容した包装体に取り付けた品種ラベルの識別コードを読取手段により読み取る読取工程、前記包装体内に収容された前記元巻を光密状態の元巻収容箱内に収容する元巻供給工程、前記元巻収容箱の外装に取り付けたデータ記憶手段に書込手段により前記品種ラベルの識別コードに対応する品種情報、長尺フィルムの生産情報及び生産計画情報を入力し、前記データ記憶手段に入力された情報を読み取る入力工程、前記元巻収容箱から送り出した前記写真フィルムを定尺断裁手段により所定長さに定尺して断裁する定尺断裁工程、定尺断裁された前記写真フィルムを使用済みの写真フィルムカートリッジに装填する装填工程、前記使用済みの写真フィルムカートリッジの外周面に、前記写真フィルムの意匠情報を印刷した意匠ラベルを取り付けるラベル処理工程、から成ることを特徴とする写真フィルムカートリッジの再使用システム。
【００２１】
【発明の実施の形態】
以下、この発明の写真フィルムカートリッジの再使用システムの実施の形態を図面に基づいて説明する。
【００２２】
図１は、この発明の写真フィルムカートリッジの再使用システムの生産工程を示す図である。
【００２３】
写真フィルムカートリッジの再使用システムは、元巻供給部１０、内装機２０、ラベル処理部３０、検査部４０、及び管理サーバー５０から構成されている。
【００２４】
元巻供給部１０は、長尺の写真フィルムＦをロール状に形成した元巻１１を光密状態に収容したバリア袋（包装体）１２、バリア袋１２の外装に取り付けた品種ラベル１３、品種ラベル１３に付されたバーコードを読み取る読取手段（バーコードリーダ）１４、バリア袋１２内に収容された元巻１１を取り出して光密状態に収容する元巻収容箱１５、元巻収容箱１５の外装に取り付けたデータ記憶手段（以下、データキャリアと称す）１６、データキャリア１６に品種情報、長尺フィルム生産情報及び生産計画情報の少なくとも一つを入力する書込手段１７（データライタ）から成る。
【００２５】
品種情報は、メーカー名、ブランド名、フィルム種別、フィルム感度、フィルム幅、有効期限、乳剤番号等を示す情報である。
【００２６】
長尺フィルム生産情報は、どの品種のフィルムが何本分が元巻１１に納められているかを示す情報である。
【００２７】
生産計画情報は、カートリッジの再使用により作られるフィルムの品種と製造本数を示す情報である。
【００２８】
内装機２０は、元巻供給部１０から供給された元巻収容箱１５に取り付けたデータキャリア１６に入力された情報を読み取る読取手段２１、元巻収容箱１５から送り出した写真フィルムＦを所定長さに定尺して断裁する定尺断裁手段２２、使用済みの写真フィルムカートリッジ（以下、カートリッジと称す）Ｃに写真フィルムＦを装填する装填手段２３、カートリッジＣに装填された写真フィルムＦの露出先端部にフィルムＩＤ情報を記録するマーカー２４、制御手段２５、これらの内装部材を暗室状態に収容する暗室２６、及び表示パネル２７から成る。
【００２９】
フィルムＩＤ情報には、品種情報、フィルム生産情報（内装部の生産情報）の一部が入力される。
【００３０】
データキャリア１６及び読取手段２１は、暗室内でも読み書き可能な電磁誘導方式の非接触の遠隔検知システムである。この遠隔検知システムとして、オムロン社製ＲＦ−ＩＤシステム形Ｖ７００シリーズ（登録商標）を使用した。ＲＦ−ＩＤシステムは、光を用いず非接触でデータの書き換え、情報交換が可能なデータキャリアを用い、遮光を要する内装機２０の中でもフィルム毎に逐次リアルタイムでデータの照合、チェックが可能である。
【００３１】
ラベル処理部３０は、カートリッジＣの外周面に写真フィルムＦの意匠情報を印刷する意匠発行機（ラベルプリンタ）３１、ラベルプリンタ３１によって作製された意匠ラベルをカートリッジＣに外周面に貼着したラベル貼着手段３２、マーカー２４によって記録されたフィルムＩＤ情報を読み取るバーコードリーダ等の読取手段３３から成る。
【００３２】
意匠情報は、品種情報、フィルム生産情報の一部より構成されるラベル意匠情報に関するものである。
【００３３】
検査部４０は、カートリッジＣの外周面に取り付けた意匠ラベルの意匠情報を読み取る読取手段４１から成る。
【００３４】
管理サーバー５０は、元巻供給部１０、内装機２０、ラベル処理部３０、検査部４０との信号授受により全工程の制御を行う。
【００３５】
図２は、品種ラベル１３の平面図である。品種ラベル１３には、メーカー名、フィルム種別、フィルム感度、フィルム幅、元巻のフィルム長さ、有効期限、乳剤番号等が目視可能に印刷されている。
【００３６】
また、品種ラベル１３には、品種情報と長尺フィルム生産情報を示すバーコード（識別コード）１３Ａ，１３Ｂが記録される。
【００３７】
図３は、カートリッジＣに装填された写真フィルムＦの露出先端部を示す正面図である。この写真フィルムＦの露出先端部には、マーカー２４によって品種情報、フィルム生産情報の一部から成るフィルムＩＤ情報が形成される。
【００３８】
フィルム生産情報は、内装部でのフィルム生産に関する情報、例えば、生産号機、製造日時等の情報から成る。
【００３９】
図３（ａ）は、写真フィルムＦの露出先端部に、レーザーマーキング又はインクジェット、感熱転写等の記録方法により、バーコードＦＡによるフィルムＩＤ情報を形成したものである。
【００４０】
図３（ｂ）は、写真フィルムＦの露出先端部に、穿孔手段により複数の小径穴を穿設し、パンチ抜きパターンＦＢを形成したものである。
【００４１】
図３（ｃ）は、写真フィルムＦの露出先端部に、バーコードによるフィルムＩＤ情報を表示するラベルＦＣを貼着したものである。
【００４２】
図３（ｄ）は、カートリッジＣのスプールの長ハブ部の外周面に、バーコードによるフィルムＩＤ情報を表示するラベルＦＤを巻回貼着したものである。
【００４３】
フィルムＩＤ情報を表示するバーコードＦＡ、ラベルＦＣ，ＦＤ、パンチ抜きパターンＦＢは、図１に示す読取手段３３によって読み取られる。
【００４４】
図４は、カートリッジの外周面に取り付けた意匠ラベル３４の平面図である。
意匠ラベル３４には、メーカー名、フィルム種別、フィルム感度、フィルム幅、フィルム駒数等が目視可能に印刷されている。また、意匠ラベル３４には、意匠コード情報等を示すバーコードＤ１と、カラー、モノクロ、その他のフィルム種別、フィルム感度、フィルムサイズ等の品種情報を示すバーコードＤ２と、前記意匠コード情報、品種情報に加え、内装号機Ｎｏ．、生産日等を示す二次元バーコード（ＱＲコード）Ｄ３とが記録されている。二次元バーコードは、図１に示す検査部４０の読取手段４１によって読み取られる。
【００４５】
図５は、再使用システムの制御を示す構成図、図６は、この再使用システムの工程フローチャートである。
【００４６】
以下、この再使用システムの工程を説明する。
［元巻供給工程］
（１）  その日の生産計画情報を管理サーバー５０に入力する。
【００４７】
（２）  元巻１１を収容したバリア袋１２の表面に付された品種ラベル１３のバーコード１３Ａ，１３Ｂをバーコードリーダ１４によって読み込み、管理サーバー５０に入力する。管理サーバー５０は、このバーコード入力データと、先に入力した生産計画情報とを照合する。
【００４８】
（３）  元巻収容箱１５内に元巻１１を装填する。
（４）  元巻収容箱１５の外周に付されたデータキャリア１６に、書込手段（データライタ）１７によって品種情報、長尺フィルム生産情報及び生産計画情報を書き込む。
【００４９】
［フィルム内装工程］
（５）  元巻収容箱１５を暗室状態の内装機２０Ａ，２０Ｂ，２０Ｃ内にそれぞれ装着する。
【００５０】
（６）  内装機２０Ａ，２０Ｂ，２０Ｃ内で、元巻収容箱１５の外周に付されたデータキャリア１６の品種情報、長尺フィルム生産情報及び生産計画情報を読み取る。
【００５１】
（７）  内装機２０Ａ，２０Ｂ，２０Ｃ内で読み取られた品種情報、長尺フィルム生産情報及び生産計画情報を基に、内装機の号機と対応づけられた生産計画情報を管理サーバー５０に送り、且つ、既に入力された生産計画情報と照合する。
【００５２】
（８）  内装機２０Ａ，２０Ｂ，２０Ｃ内で読取手段２１によって読み取られた情報を基に、定尺送り長さが自動設定される。元巻１１から引き出された写真フィルムＦは定尺断裁手段２２によって所定長さに断裁される。
【００５３】
（９）  定尺の写真フィルムＦは装填手段２３によってカートリッジＣ内に装填され、内装機２０Ａ，２０Ｂ，２０Ｃ内で読み取られた情報を元に、写真フィルムＦの露出先端部（舌端部）に、マーカー２４によってバーコード等のフィルムＩＤ情報を書き込む。
【００５４】
［ラベル処理工程］
（１０）  ラベル処理部３０において、意匠情報を基に写真フィルム意匠発行機（ラベルプリンタ）３１により該当事項記載の意匠ラベル３４を発行する。この意匠ラベル３４をラベル貼着手段３２によってカートリッジＣの外周面に貼着する。
【００５５】
［検査工程］
（１１）  検査部４０の読取手段４１によって、カートリッジＣの外周面に取り付けた意匠ラベル３４の記録情報、写真フィルムＦの舌端部のフィルムＩＤ情報を読み込み、フィルムとラベルとを照合すると共に、管理サーバー５０に入力されている生産計画情報と照合し計数する。検査済みのカートリッジＣは、外装機によって包装材内に装填される。又は、検査済みのカートリッジＣは、レンズ付きフィルム内に装填される。
【００５６】
（１２）  管理サーバー５０により生産管理データが集計される。
図７は、この再使用システムの情報の流れを示す図である。なお、図中の括弧付き数字は、再使用システムの処理における工程順序を示す。また、角枠内は各情報の内訳を示す。矢印は情報入出力方向を表す。
【００５７】
なお、この実施例では、ＪＩＳ  Ｋ−７５１９−１９８２に規定される感光性フィルムが組み込まれた内装品の製造に使用されるものを中心に説明するが、本発明のカートリッジはこれに限定されるものではない。例えば、特開平１−３０６８４４号，特開平１−３０６８４５号公報等で示される樹脂製パトローネや、特開平４−３３５６３９号公報等で示される小型パトローネや、１１０カートリッジやロールマガジンにも適用できる。
【００５８】
【発明の効果】
本発明の写真フィルムカートリッジの再使用システムによれば、使用済みのカートリッジ（パトローネ等）を分解することなく、使用済みのカートリッジから残余のフィルム端材を取り除いた後、新たに詰めるフィルムの品種に対応したラベルをカートリッジ表面に取り付けるものである。新たに詰めるフィルムの品種は、ラベルプリンタが１対１に対応付けられた新ラベルを発行するにより、確実にカートリッジとフィルムとが一致するから、カートリッジの表示と、中身のフィルムの品種とが相違する事が未然に防止する事ができる。
【図面の簡単な説明】
【図１】この発明の写真フィルムカートリッジの再使用システムの生産工程を示す図。
【図２】品種ラベルの平面図。
【図３】カートリッジに装填された写真フィルムの露出先端部を示す正面図。
【図４】カートリッジの外周面に取り付けた意匠ラベルの平面図。
【図５】再使用システムの制御を示す構成図。
【図６】再使用システムの工程フローチャート。
【図７】再使用システムの情報の流れを示す図。
【符号の説明】
１０  元巻供給部
１３  品種ラベル
１４  読取手段（バーコードリーダ）
１５  元巻収容箱
１６  データ記憶手段（データキャリア）
１７  書込手段（データライタ）
２０，２０Ａ，２０Ｂ，２０Ｃ  内装機
２１、３３，４１  読取手段
２３  装填手段
２４  マーカー
２５  制御手段
２７  表示ラベル
３０  ラベル処理部
３１  意匠発行機（ラベルプリンタ）
３２  ラベル貼着手段
３４  意匠ラベル
４０  検査部
５０  管理サーバー
Ｃ  写真フィルムカートリッジ（カートリッジ）
Ｆ  写真フィルム
【図１】
2004264356.tif 000003
【図２】
2004264356.tif 000004
【図３】
2004264356.tif 000005
【図４】
2004264356.tif 000006
【図５】
2004264356.tif 000007
【図６】
2004264356.tif 000008
【図７】
2004264356.tif 000009